(57)【要約】【課題】表示画像の表示品位を低下させることなく、消費電力を低減する。【解決手段】本発明の液晶表示装置１００は、対向電極信号出力回路１４０と映像信号線駆動回路１３０とを備え、乱数発生器によって算出された乱数の連続した水平走査期間を、第１水平走査期間とし、当該第１水平走査期間に続く、当該算出された乱数の次に算出された乱数の水平走査期間を、第２水平走査期間とすると、対向電極信号出力回路１４０は、１フレーム内において、連続した第１水平走査期間に、ある極性となるＣＯＭ信号を対向電極に出力し、第２水平走査期間に、当該ある極性とは反対の極性のＣＯＭ信号を、対向電極に出力し、映像信号線駆動回路１３０は、１フレーム内において、連続した第１水平走査期間に、ある極性となる映像信号を出力し、第２水平走査期間に、当該ある極性とは反対の極性のＣＯＭ信号を、対向電極に出力する。【選択図】図１
2009103834.tif 000002
【特許請求の範囲】
【請求項１】
互いに交差する複数の走査信号線と複数の映像信号線との各交差位置に配置された各画素に、該映像信号線を介して映像信号を出力する映像信号線駆動回路と、
上記映像信号線駆動回路の出力先となる画素を、上記走査信号線を介して選択する走査信号線駆動回路と、
上記各画素に共通して設けられる対向電極に、電位を与えるための対向電極信号を出力する該対向電極駆動回路と、を備えた液晶表示装置であって、
２以上の乱数を算出する乱数算出手段を備え、
上記算出された乱数の連続した水平走査期間を、第１水平走査期間とし、当該第１水平走査期間に続く、当該算出された乱数の次に算出された乱数の水平走査期間を、第２水平走査期間とすると、
上記対向電極駆動回路は、
１フレーム内において、上記連続した第１水平走査期間に、ある極性の上記対向電極信号を出力すると共に、上記連続した第２水平走査期間に、当該ある極性と反対の極性の上記対向電極信号を出力し、
上記映像信号線駆動回路は、
１フレーム内において、上記連続した第１水平走査期間に、ある極性の上記映像信号を出力すると共に、上記連続した第２水平走査期間に、当該ある極性と反対の極性の上記映像信号を出力することを特徴とする、液晶表示装置。
【請求項２】
第１フレーム中の最初の上記第１水平走査期間における、上記対向電極信号および上記映像信号の極性と、
上記第１フレームに続く第２フレームの最初の水平走査期間における、上記対向電極信号および上記映像信号の極性とは、
互いに異なることを特徴とする、請求項１に記載の液晶表示装置。
【発明の詳細な説明】
【技術分野】
【０００１】
本発明は、対向電極の電位の極性を切替可能な、液晶表示装置に関するものである。
【背景技術】
【０００２】
近年、カメラ付携帯電話や、デジタルスチルカメラ等の、液晶表示装置を備えた携帯端末機器が普及している。また、これら携帯端末機器は多機能化が進んでおり、そのため、消費電力が大きくなり、携帯端末機器が備えるバッテリーの寿命に影響を及ぼす。このため、携帯端末機器においては、低消費電力化が要求されている。
【０００３】
液晶表示装置においては、複数の走査信号線と複数の映像信号線とが交差する箇所に、液晶素子を備えた画素が配置されており、液晶表示装置は、この液晶素子の傾きを変化させることにより、画素の表示階調を制御している。また、この液晶素子は、映像信号線に接続された表示電極と、各画素に共通の対向電極との間に配置されており、液晶素子の傾きは、この２つの電極間の電位差に応じて変化する。
【０００４】
ここで、液晶素子の性質として、一定時間以上、同一方向の電圧が印加されると、表示焼つきと呼ばれる、液晶素子の傾きが固定してしまうという問題が発生する。
【０００５】
従来の液晶表示装置は、１水平走査期間ごと、かつ、画像表示のフレームごとに、表示電極および対向電極の電位の極性を切り替わるように、表示電極に対する映像信号および対向電極に電位を与えるための対向電極信号を制御し、液晶素子の表示焼つけを防止している。
【０００６】
ここで、表示電極および対向電極間の画素容量や浮遊容量は、表示電極および対向電極の電位の極性を反転させるたびに、放充電が行われるため、上記の従来例のように、１水平走査期間ごと、かつ、フレームごとに、この極性を切替えると、消費電力が多くなるとういう問題が生じる。
【０００７】
この問題を解決するものとして、特許文献１には、連続する複数の水平走査期間ごとに、表示電極および対向電極の電位の極性を切替える、液晶表示装置が開示されている。
【０００８】
また、特許文献２には、一水平走査期間を２つの期間に分割し、一水平走査期間の１／２期間では、略１／２の本数の前記データ信号線に対して映像データを正極性として出力し、残りの１／２期間では、残りの略１／２の本数の前記データ信号線に対して、映像データを負極性として出力する液晶表示装置が開示されている。
【特許文献１】特開２００１−２１５４６９（２００１年８月１０日公開）
【特許文献２】特開２００５−１５６６３３（２００５年６月１６日公開）
【発明の開示】
【発明が解決しようとする課題】
【０００９】
しかしながら、特許文献１に開示の方法を用いた液晶表示装置においては、液晶素子の焼つけおよび消費電力を抑えるという効果は奏するものの、表示する画像の表示品位が低下するという新たな問題が生じる。
【００１０】
以下に、この表示品位の低下について、図６（ａ）、（ｂ）および図７（ａ）、（ｂ）を参照して以下に説明する。図６（ａ）は、従来例の液晶表示装置における、３水平走査期間ごとに対向電極の電位極性を切替えた場合の、ｉ番目のフレームにおける、対向電極に出力される対向電極信号と、対向電極の電位との関係を示す説明図であり、図６（ｂ）は、同図（ａ）と同条件における、ｉ＋１番目のフレームの、対向電極信号と、対向電極の電位との関係を示す説明図である。
【００１１】
図６（ａ）に示すように、１フレーム中における、４番目、７番目、・・・、３Ｎ＋１番目（Ｎは１以上の整数）の水平走査期間が、対向電極信号の極性が切り替わった直後の水平走査期間であり、３水平走査期間ごとに対向電極の電位極性が切り替わっている。また、図６（ｂ）に示すように、ｉ番目からｉ＋１番目にフレームが切り替わることにより、１番目の水平走査期間の対向電極信号の極性は、正極から負極に切り替わり、その後、３水平走査期間ごとに、該信号の極性が切り替わっている。
【００１２】
ここで、図６（ａ）および（ｂ）を参照して、対向電極信号の極性が切り替わった直後の水平走査期間（４番目、７番目、・・・）における対向電極の電位の絶対値と、それ以外の水平走査期間（２番目、３番目、５番目、・・・）における対向電極の電位の絶対値とを比較すると、互いの電位の絶対値に差が生じている。これは、対向電極信号の極性が切り替わった直後においては、対向電極における電荷の充放電の影響により、対向電極の電圧の立上りまたは立下りが鈍るためである。
【００１３】
このような、対向電極信号の極性の切り替わりによって生じる、対向電極の電位の絶対値の差に起因する問題を、図７（ａ）および（ｂ）を参照して説明する。図７（ａ）および（ｂ）は、ｉ番目のフレームと、ｉ＋１番目のフレームとにおける、対向電極信号と表示される画像との関係を示す説明図である。
【００１４】
対向電極信号の極性の切り替わりによって、水平走査期間ごとの対向電極の電位の絶対値に差が生じることにより、図７（ａ）に示すような、特定の走査信号線の画素に濃淡が生じる。具体的には、４番目，７番目，および３Ｎ＋１番目の水平走査期間に対応する、上から４番目，７番目，および３Ｎ＋１番目の走査信号線に接続された画素に濃淡が生じている。
【００１５】
ここで、フレームが切り替わっても、図７（ｂ）に示すように、対向電極信号の極性が切り替わった直後の水平走査期間は同じであるため、図７（ａ）に示す、１フレーム前と同じ走査信号線に接続された画素に濃淡が生じている。
【００１６】
以上のように、従来例の液晶表示装置においては、特定の走査信号線に接続された画素において、常に濃淡が生じることとなり、結果、表示する画像の表示品位が低下するという問題が生じる。
【００１７】
また、特許文献２においても、同様に、１水平走査期間における、対向電極信号の極性の切替は、フレームが切り替わっても同じタイミングであるため、特定のデータ信号線に接続された画素において、常に濃淡が生じることになり、結果、表示する画像の表示品位が低下するという、特許文献１に記載した液晶表示装置と、同様の問題を有する。
【００１８】
本発明は、上記問題に鑑みてなされたものであり、その目的は、表示品位を低下させることなく、消費電力を低減した液晶表示装置を提供することにある。
【課題を解決するための手段】
【００１９】
本発明に係る液晶表示装置は、上記の課題を解決するために、
互いに交差する複数の走査信号線と複数の映像信号線との各交差位置に配置された各画素に、該映像信号線を介して映像信号を出力する映像信号線駆動回路と、上記映像信号線駆動回路の出力先となる画素を、上記走査信号線を介して選択する走査信号線駆動回路と、上記各画素に共通して設けられる対向電極に、電位を与えるための対向電極信号を出力する該対向電極駆動回路と、を備えた液晶表示装置であって、２以上の乱数を算出する乱数算出手段を備え、上記算出された乱数の連続した水平走査期間を、第１水平走査期間とし、当該第１水平走査期間に続く、当該算出された乱数の次に算出された乱数の水平走査期間を、第２水平走査期間とすると、上記対向電極駆動回路は、１フレーム内において、上記連続した第１水平走査期間に、ある極性の上記対向電極信号を出力すると共に、上記連続した第２水平走査期間に、当該ある極性と反対の極性の上記対向電極信号を出力し、上記映像信号線駆動回路は、１フレーム内において、上記連続した第１水平走査期間に、ある極性の上記映像信号を出力すると共に、上記連続した第２水平走査期間に、当該ある極性と反対の極性の上記映像信号を出力することを特徴としている。
【００２０】
上記構成によれば、第１水平走査期間および、該第１水平走査期間に続く第２水平走査期間は、２水平走査期間以上の期間である。さらに、第１水平走査期間および第２水平走査期間それぞれにおける、対向電極信号および映像信号の極性は一定である。したがって、１水平走査期間ごとに、対向電極信号および映像信号の極性を反転させる従来例に比べ、本発明の液晶表示装置においては、１フレーム中における、対向電極および映像信号に接続されらた表示電極の電位の反転回数は減少する。これにより、対向電極および表示電極間の画素容量および浮遊容量の充放電の回数が減少し、結果、液晶表示装置の消費電力が現象するという効果を奏する。
【００２１】
さらに、該第１水平走査期間と第２水平走査期間の長さを、乱数算出手段によって算出された乱数を用いて決定している。したがって、第１水平走査期間および第２水平走査期間の長さは一定とならないため、対向電極および表示電極の極性が切り替わった直後の水平走査期間に対応する走査信号線（以下、切替直後の走査信号線と称する）は一定となることはない。これにより、切替直後の走査信号線に対応する画素に濃淡が生じたとしても、濃淡が発生する走査信号線の画素が、フレームごとに常に同じになることはない。その結果、複数のフレームにおいては、画素に発生した濃淡は、液晶表示装置の表示画像全体に平滑化されることになるため、視聴者は画素の濃淡を意識することはない、言い換えれば、液晶表示装置は、表示する画像の表示品位の低下を防ぐことになる。
【００２２】
以上のように、本発明に係る液晶表示装置は、表示品位を低下させることなく、消費電力を低減できるという効果を奏する。
【００２３】
本発明に係る液晶表示装置は、さらに、
第１フレーム中の最初の上記第１水平走査期間における、上記対向電極信号および上記映像信号の極性と、上記第１フレームに続く第２フレームの最初の水平走査期間における、上記対向電極信号および上記映像信号の極性とは、互いに異なることが好ましい。
【００２４】
上記構成を備えたことにより、フレームが切り替わるごとに、１フレーム中の最初の水平走査期間における対向電極および表示電極の電位の極性は、異なる極性に切替えられる。したがって、最初の水平走査期間に対応する走査信号線の画素において、表示焼つきが生じることを防止する効果を奏する。
【発明の効果】
【００２５】
本発明の液晶表示装置は、以上のように、互いに交差する複数の走査信号線と複数の映像信号線との各交差位置に配置された各画素に、該映像信号線を介して映像信号を出力する映像信号線駆動回路と、上記映像信号線駆動回路の出力先となる画素を、上記走査信号線を介して選択する走査信号線駆動回路と、上記各画素に共通して設けられる対向電極に、電位を与えるための対向電極信号を出力する該対向電極駆動回路と、を備えた液晶表示装置であって、２以上の乱数を算出する乱数算出手段を備え、上記算出された乱数の連続した水平走査期間を、第１水平走査期間とし、当該第１水平走査期間に続く、当該算出された乱数の次に算出された乱数の水平走査期間を、第２水平走査期間とすると、上記対向電極駆動回路は、１フレーム内において、上記連続した第１水平走査期間に、ある極性の上記対向電極信号を出力すると共に、上記連続した第２水平走査期間に、当該ある極性と反対の極性の上記対向電極信号を出力し、上記映像信号線駆動回路は、１フレーム内において、上記連続した第１水平走査期間に、ある極性の上記映像信号を出力すると共に、上記連続した第２水平走査期間に、当該ある極性と反対の極性の上記映像信号を出力する。
【００２６】
したがって、表示品位を低下させることなく、消費電力を低減できる。
【発明を実施するための最良の形態】
【００２７】
以下、本発明に係る実施の形態を図面に基づいて説明する。
【００２８】
（液晶表示装置１００の構成）
まず、図１を参照して、以下に液晶表示装置１００の構成を説明する。図１は、液晶表示装置の構成を示すブロック図である。
【００２９】
図１に示すように、液晶表示装置１００は、液晶パネル１１０と、走査信号線駆動回路１２０と、映像信号線駆動回路１３０と、対向電極信号出力回路１４０と、制御部１５０とを備えている。
【００３０】
液晶表示パネル１１０は、特に図示していないが、所定の間隔を隔てて平行に対向配列されたマトリクス基板と対向電極を備える対向基板との２枚の透明基板からなり、これら両基板間に液晶素子が充填されている。
【００３１】
このうち、マトリクス基板には、複数（本実施形態においては、Ｍ本）の互いに並行な映像信号線ＳＬｉ（ｉ＝１〜Ｍ）と、該映像信号線ＳＬｉに交差する複数（本実施形態においては、Ｎ本）の互いに並行な走査信号線ＧＬｊ（ｊ＝１〜Ｎ）とが設けられている。隣接する２本の走査信号線ＧＬｊおよびＧＬ（ｊ＋１）と隣接する２本の映像信号線ＳＬｉおよびＳＬ（ｉ＋１）とによって囲まれた各箇所に、画素ＰＩＸｉｊが設けられている。
【００３２】
また、もう一枚の透明基板である対向基板側には、すべての画素ＰＩＸに対して共通の対向電極が設けられている。該対向電極には、対向電極信号出力回路１４０からのＣＯＭ信号（対向電極信号）によって電位が与えられている。
【００３３】
ここで、図２を参照して、画素ＰＩＸの構成について以下に説明する。図２は、画素ＰＩＸの構成を示す模式図である。図２に示すように、画素ＰＩＸｉｊには、表示電極１３と、映像信号線ＳＬｉからの映像信号を表示電極１３に電気的に接続するか否かを切替えるためのスイッチング素子であるＴＦＴ（薄膜トランジスタ）素子１１と、対向電極１４と表示電極１３との間に配置された液晶素子１２とを備えている。ＴＦＴ素子１１のゲート電極は、その近傍を通る走査信号線ＧＬｊに接続されている。さらに、ＴＦＴ素子１１のソース電極は、映像信号線ＳＬｉに接続されているとともに、そのドレイン電極は、表示電極１３に接続されている。
【００３４】
ここで、走査信号線駆動回路１２０は、液晶パネル１１０に設けられた複数の走査信号線ＧＬｊ（ｊ＝１〜Ｎ）のうち、選択した走査信号線ＧＬｊに対してｈｉｇｈレベルの電圧を、それ以外の走査信号線ＧＬｊに対してｌｏｗレベルの電圧を出力するためのものである。
【００３５】
図１に示すように、走査信号線駆動回路１２０には、制御部１５０からゲートクロック信号ＧＣＫおよびゲートスタートパルス信号ＧＳＰが出力される。走査信号線駆動回路１２０は、ゲートクロック信号ＧＣＫの周期に合わせたゲートスタートパルス信号ＧＳＰを合図に、走査信号線ＧＬ１から順にハイレベルの電圧を出力する。すなわち、ＧＬｊに対する出力電圧をＧＤＯＵＴｊとすると、走査信号線駆動回路１２０は、ゲートスタートパルス信号ＧＳＰを合図に、ＧＤＯＵＴ１をｌｏｗからｈｉｇｈレベルとする。次に、ゲートクロック信号ＧＣＫの周期に従って、走査信号線駆動回路１２０は、ＧＤＯＵＴ１をｌｏｗレベルに戻し、ＧＤＯＵＴ２をｌｏｗからｈｉｇｈレベルとする。以降、同様に、ＧＤＯＵＴｊを次々にｌｏｗ、ｈｉｇｈ、ｌｏｗレベルに順に変更させていく。つまり、走査信号線駆動回路１２０は、１つの走査信号線を選択してｈｉｇｈの信号を出力することにより、映像信号線駆動回路１３０が映像信号を出力する画素を、走査信号線単位で選択することになる。
【００３６】
映像信号線駆動回路１３０は、走査信号線駆動回路１２０によって選択された走査信号線ＧＬｊに接続された、画素ＰＩＸｊに対応する映像信号を、各映像信号線ＳＬｉ（ｉ＝１〜Ｍ）を介して、画素ＰＩＸ１ｊ〜ＰＩＸＭｊに出力する。以下に、映像信号駆動回路１３０の動作を具体的に説明するため、ここでは、映像信号駆動回路１３０は、走査信号線ＧＬｊに接続された画素ＰＩＸ１ｊ〜ＰＩＸＭｊに映像信号を出力する場合を例として説明する。
【００３７】
映像信号線駆動回路１３０には、制御部１５０よりクロック信号ＳＣＫと、映像データとが、対向電極信号出力回路１４０よりＣＯＭ信号が入力される。映像信号線駆動回路１３０は、クロック信号ＳＣＫに同期して、内部に備えるサンプリングメモリ（図示しない）に、画素ＰＩＸ１ｊ〜ＰＩＸＭｊに対応する一水平走査期間分の映像データを入力させる。なお、このサンプリングメモリは、映像信号線ＳＬと同数（つまり、Ｍ個）のデータ格納領域を有しており、各映像信号線ＳＬに対応する表示データを対応するデータ格納領域に取り込む。
【００３８】
次に、映像信号線駆動回路１３０において、サンプリングメモリが取り込んだ一水平走査期間分（画素ＰＩＸ１ｊ〜ＰＩＸＭｊ）の各映像データは、後段のホールドメモリ（図示しない）に水平同期信号ＨＳのタイミングで転送される。このホールドメモリにおいても、映像信号線ＳＬと同数（つまり、Ｍ個）のデータ格納領域を有しており、各映像信号線ＳＬに対応する各映像データを対応するデータ格納領域に取り込む。
【００３９】
さらに、ホールドメモリは、転送された映像データを、内部に備えるデータ格納領域に一旦格納した後、水平同期信号ＨＳに同期して、後段のＤＡＣ回路（図示しない）に出力する。ＤＡＣ回路は、出力された各映像データを、アナログ電圧である映像信号に変換し、映像信号線ＳＬ１〜ＳＬＭに出力する。ここで、ＤＡＣ回路は、映像データを映像信号に変換するにあたり、この映像信号の極性を、対向電極信号出力回路からのＣＯＭ信号の極性に応じたものとしている。なお、このＣＯＭ信号の極性についての詳細な説明は後述とする。
【００４０】
ここで、制御部１５０は、水平同期信号ＨＳ、ゲートクロック信号ＧＣＫ、ゲートスタートパルス信号ＧＳＰを、互いに対応するタイミングとなるように制御し出力している。したがって、上記の映像信号駆動回路１３０より出力された画素ＰＩＸ１ｊ〜ＰＩＸＭｊに対応する映像信号は、映像信号線ＳＬ１〜ＳＬＭ介して、走査信号線駆動回路１２０により選択された走査信号線ＳＬｊに接続される画素画素ＰＩＸ１ｊ〜ＰＩＸＭｊに出力されることになる。
【００４１】
上記の出力された映像信号は、画素ＰＩＸ１ｊ〜ＰＩＸＭｊが備える各表示電極１３（図２参照）にアナログ電圧として印加される。これにより、表示電極１３の電位と対向電極１４（図２参照）の電位との電位差が各液晶素子１２に印加され、液晶素子１２が光学的シャッターとして働く。これにより、画素ＰＩＸ１ｊ〜ＰＩＸＭｊは、映像データに応じた所望の輝度表示が可能となる。
【００４２】
（対向電極信号出力回路１４０の構成）
次に、図３を参照して、対向電極信号出力回路１４０の構成を以下に説明する。図３は、対向電極信号出力回路１４０の構成を示すブロック図である。
【００４３】
図３に示すように、対向電極信号出力回路１４０は、乱数発生器１４１（乱数算出手段）、カウンタ１４２、比較器１４３、ＣＯＭ反転回路（対向電極駆動回路）１４４、および分周回路１４５を備えている。
【００４４】
まず、乱数発生器１４１は、入力された垂直同期信号ＶＳから、フレームが切り替わったことを検出すると、任意の整数からなる乱数を生成し、比較器１４３に出力する。また、カウンタ１４２は、入力された垂直同期信号ＶＳから、フレームが切り替わったことを検出すると、自身が備えるカウントメモリを０にリセットし、カウントメモリ内の値をカウント値として比較器１４３に出力する。さらに、カウンタ１４２は、入力された水平同期信号ＨＳより、一水平走査期間が経過するごとに、内部のカウンタメモリ内のカウンタ値を１ずつ大きくし、比較器１４３に出力する。
【００４５】
比較器１４３は、入力された乱数とカウント値とを比較し、この２つの値が同じになった場合に、ＨｉｇｈのパルスをＣＯＭ反転回路１４４に出力するとともに、このＨｉｇｈのパルスを、カウンタ１４２および乱数発生器１４１に帰還する。
【００４６】
上記のＨｉｇｈのパルスを入力したＣＯＭ反転回路１４４は、ＣＯＭ信号の極性を反転させ、対向電極に出力する。一方、上記のＨｉｇｈのパルスを帰還されたカウンタ１４２は、内部のカウンタメモリ内のカウンタ値を０にリセットし、上述した、入力された水平同期信号ＨＳより、一水平走査期間が経過するごとに、内部のカウンタメモリ内のカウンタ値を大きくする動作を再度行う。また、上記のＨｉｇｈのパルスを帰還された乱数発生器１４１は、新たに任意の整数からなる乱数を生成し、比較器１４３に出力する。
【００４７】
以上のように、対向電極信号出力回路１４０は、乱数発生器１４１が生成した乱数を用いて、該乱数分の水平走査期間が経過するごとに、ＣＯＭ信号の極性を反転させることになる。
【００４８】
なお、ＣＯＭ反転回路１４４は、１フレーム中における最初の水平走査期間のＣＯＭ信号の極性を、正極性とするか負極性とするかを、分周回路１４５からの出力信号に基づいて決定している。具体的には、分周回路１４５は、垂直同期信号ＶＳの周波数を１／２分周するものであり、分周した周波数を、分周信号としてＣＯＭ反転回路１４４に出力する。ＣＯＭ反転回路１４４は、入力された分周信号に基づいて、フレームの切り替わりと、現在のフレームが奇数フレームか偶数フレームかとを検出する。さらに、ＣＯＭ判定回路１４４は、フレームが奇数フレームから偶数フレームに切り替わった直後の水平走査期間における、言い換えれば、偶数フレームにおける最初の水平走査期間の、ＣＯＭ信号の極性を負極性とする。一方、フレームが偶数フレームから奇数フレームに切り替わった直後の水平走査期間における、言い換えれば、奇数フレームにおける最初の水平走査期間の、ＣＯＭ信号の極性を正極性とする。このように、ＣＯＭ反転回路１４４は、奇数フレームと偶数フレームとにおいて、１フレーム中における最初の水平走査期間の対向電極信号の極性を、互いに異なる極性としている。
【００４９】
また、ＣＯＭ反転回路１４４内に、例えば、イクスクルーシブＯＲ回路を設け、比較器１４３からの出力信号と分周回路１４５からの出力信号とを、該イクスクルーシブＯＲ回路に入力することで、フレーム毎に極性を異なるＣＯＭ信号を得ることができる。
【００５０】
なお、本実施形態においては、最初の水平走査期間におけるＣＯＭ信号の極性を、奇数フレームにおいては正極性とし、偶数フレームにおいては負極性としたが、これは一例であり、奇数フレームにおいて負極性とし、偶数フレームにおいて正極性としてもよい。
【００５１】
次に、図４（ａ）および（ｂ）を参照して、本実施形態におけるＣＯＭ信号と対向電極の電位との関係を、一例を用いて説明する。図４（ａ）および（ｂ）は、ｉ番目およびｉ＋１番目のフレームにおける、ＣＯＭ信号と対向電極の電位との関係を示す説明図である。
【００５２】
まず、液晶表示装置１００においては、ＣＯＭ信号の極性が連続して同極性となる水平走査期間の数を、乱数発生器１４１が生成する乱数によって決定している。さらに、液晶表示装置は、ＣＯＭ信号の極性が切り替わるごとに、新たな乱数を用いて、ＣＯＭ信号の極性が連続して同極性となる水平走査期間の数を決定している。したがって、ＣＯＭ信号の極性の切り替わりは、一定周期とはならず、ランダムなタイミングによって、極性が切り替わる。
【００５３】
図４（ａ）および（ｂ）を参照して一例を説明すると、ｉ番目のフレーム中において、３番目、７番目、９番目、ｊ＋１番目の水平走査期間が、ＣＯＭ信号の極性が切り替わった直後の水平走査期間である。したがって、ＣＯＭ信号の極性が切り替わった直後の水平走査期間（３番目、７番目、９番目、ｊ＋１番目）における対向電極の電位の絶対値と、それ以外の水平走査期間（１番目、２番目、５番目、・・・）における対向電極の電位の絶対値とに差が生じている。
【００５４】
また、ｉ＋１番目のフレーム中においては、４番目、８番目、１０番目、ｊ番目、ｊ＋３番目の水平走査期間が、ＣＯＭ信号の極性が切り替わった直後の水平走査期間である。したがって、ＣＯＭ信号の極性が切り替わった直後の水平走査期間（４番目、８番目、１０番目、ｊ番目、ｊ＋３番目）における対向電極の電位の絶対値と、それ以外の水平走査期間（１番目、２番目、３番目、５番目、・・・）における対向電極の電位の絶対値とに差が生じている。
【００５５】
ここで、ｉ番目のフレームと、ｉ＋１番目のフレームとにおいて、それぞれ、ＣＯＭ信号の極性が切り替わった直後の水平走査期間が異なるのは、液晶表示装置１００が、乱数を用いて、ＣＯＭ信号の極性を切替えているからである。
【００５６】
上記の一例における、対向電極の電位の絶対値に変動が生じた場合の、液晶表示装置１００が表示する表示画像への影響を、図５（ａ）および（ｂ）を参照して説明する。図７（ａ）および（ｂ）は、ｉ番目のフレームと、ｉ＋１番目のフレームとにおける、ＣＯＭ信号と、表示パネル１１０に表示される表示画像との関係を示す説明図である。
【００５７】
図５（ａ）に示すように、ｉ番目のフレームにおいては、ＣＯＭ信号の極性が切り替わった直後の水平走査期間に対応する、上から３番目、７番目、９番目、ｊ＋１番目の走査信号線に接続された、画素ＰＩＸに濃淡が生じている。
【００５８】
また、図５（ｂ）に示すように、ｉ＋１番目のフレームにおいては、ＣＯＭ信号の極性が切り替わった直後の水平走査期間に対応する、上から４番目、８番目、１０番目、ｊ番目、ｊ＋３番目の走査信号線に接続された、画素ＰＩＸに濃淡が生じている。
【００５９】
ここで、ｉ番目のフレームと、ｉ＋１番目のフレームとの表示画像を比較すると、濃淡が生じる画素は異なる画素ＰＩＸである。つまり、特定の画素ＰＩＸに濃淡が現れることはなく、フレームが切り替わるごとに、濃淡が生じる画素ＰＩＸは変化する。これにより、複数のフレームにおいては、画素ＰＩＸにおいて発生した濃淡は、液晶表示装置１００が表示する表示画像全体に平滑化されることになるため、視聴者は画素の濃淡を意識することはない、言い換えれば、液晶表示装置１００は、表示する表示画像の表示品位の低下を防ぐことになる。
【００６０】
なお、本実施形態においては、映像信号線駆動回路１３０は、入力したＣＯＭ信号の極性に応じて、映像信号の極性を決定する構成としたが、本発明はこれに限るものではなく、映像信号線駆動回路１３０は、対向電極信号出力回路１４０が備える比較器１４３が出力する信号に基づいて、映像信号の極性を決定する構成としてもよい。このとき、ＣＯＭ反転回路１４４は、比較器１４３より出力される信号の代わりに、映像信号駆動回路１３０より出力される映像信号の極性に基づいて、ＣＯＭ信号の極性を切替える構成としてもよい。
【００６１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００６２】
なお、本発明の液晶表示装置を以下のように構成してもよい。
【００６３】
（第１の構成）
液晶表示装置において、表示パネルのライン電極および対向電極の正極性、負極に反転駆動させる際、該対向電極の信号の変化タイミングを変動させることを特徴とする液晶表示装置。
【００６４】
（第２の構成）
第１の構成に伴う映像信号の発生タイミングを調整する回路を備えたことを特徴とする液晶表示装置。
【００６５】
（第３の構成）
第１の構成に伴う映像信号の電圧レベルを調整する回路を備えたことを特徴とする液晶表示装置。
【００６６】
（第４の構成）
第１の構成に記載の前記対向電極信号の反転位置をフレーム毎に変動させる回路を備えたことを特徴とする液晶表示装置。
【００６７】
（第５の構成）
前記対向電極信号の反転位置をフレーム毎に変動させる回路は乱数発生器を用いて変動させていることを特徴とする液晶表示装置。
【００６８】
（第６の構成）
複数のライン電極を駆動することで、１フレーム当りの対向電極信号の変化数を低減したことを特徴とする第１の構成から第５の構成の何れかに記載の液晶表示装置。
【産業上の利用可能性】
【００６９】
本発明の液晶表示装置は、表示する表示画像の表示品位を低下することなく、消費電力を低減でき、特に、液晶表示装置を備える携帯電話や、大型の液晶テレビなどに適用することができる。
【図面の簡単な説明】
【００７０】
【図１】本発明の実施形態に係る、液晶表示装置の構成を示すブロック図である。
【図２】本発明の実施形態に係る、画素の構成を示す模式図である。
【図３】本発明の実施形態に係る、対向電極信号出力回路の構成を示すブロック図である。
【図４】（ａ）および（ｂ）は、本発明の実施形態に係る、ＣＯＭ信号と対向電極の電位との関係の一例を示す説明図である。
【図５】（ａ）および（ｂ）は、本発明の実施形態に係る、ＣＯＭ信号と表示画像との関係の一例を示す説明図である。
【図６】（ａ）および（ｂ）は、従来例に係る、対向電極信号と対向電極の電位との関係の一例を示す説明図である。
【図７】（ａ）および（ｂ）は、従来例に係る、対向電極信号と表示画像との関係の一例を示す説明図である。
【符号の説明】
【００７１】
１００  液晶表示装置
１２０  走査信号線駆動回路
１３０  映像信号線駆動回路
１４１  乱数発生器（乱数算出手段）
１４４  ＣＯＭ反転回路（対向電極駆動回路）
【図１】
2009103834.tif 000003
【図２】
2009103834.tif 000004
【図３】
2009103834.tif 000005
【図４】
2009103834.tif 000006
【図５】
2009103834.tif 000007
【図６】
2009103834.tif 000008
【図７】
2009103834.tif 000009